(57)【要約】【課題】幅広いユーザにとって精算装置に対する精算処理の指示が行いやすくなるようにする。【解決手段】客の購入対象の商品を登録する商品登録処理を実行する登録装置と、商品登録処理に応じた商品登録情報に基づいて客の操作に応じて精算処理を実行する複数の精算装置とを有する商品販売データ処理システムにおける登録装置として、精算処理を実行する精算装置を指定する操作が行われる物理的操作子と、前記複数の精算装置ごとに対応して表示部の画面にて表示される複数の精算装置対応領域について、第１の機能と第２の機能とで切替える制御手段とを備えて構成する。【選択図】図６
2020034992.tif 000002
【特許請求の範囲】
【請求項１】
客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、
精算処理を実行する精算装置を指定する操作が行われる物理的操作子と、
前記複数の精算装置ごとに対応して表示部の画面にて表示される複数の精算装置対応領域について、第１の機能と第２の機能とで切替える制御手段と
を備える登録装置。
【請求項２】
前記制御手段は、
前記物理的操作子に対する操作に応じた精算装置の指定と、前記画面に対する操作に応じた精算装置の指定との双方が可能に設定される場合に、前記第１の機能として、前記複数の精算装置対応領域のそれぞれを、対応の精算装置の指定の操作が行われる画像操作子として機能させる
請求項１に記載の登録装置。
【請求項３】
前記制御手段は、
前記物理的操作子に対する操作に応じた精算装置の指定が可能で、前記画面に対する操作に応じた精算装置の指定が不可に設定される場合に、前記第２の機能として、前記複数の精算装置対応領域のそれぞれにおいて、対応の精算装置に関する情報を提示するように機能させる
請求項１または２に記載の登録装置。
【請求項４】
前記制御手段は、
１の精算装置対応領域が操作されたことに応じて、操作された精算装置対応領域に対応する精算装置に関する情報を前記画面において表示させる
請求項３に記載の登録装置。
【請求項５】
前記制御手段は、
操作された複数の精算装置対応領域ごとに対応する複数の精算装置に関する情報を前記画面において表示させる
請求項３または４に記載の登録装置。
【請求項６】
前記制御手段は、
前記複数の精算装置に関する情報を同じ表示範囲に表示させる
請求項５に記載の登録装置。
【請求項７】
前記制御手段は、
前記表示範囲において、前記複数の精算装置に関する情報を、情報項目ごとに振り分けるようにした態様で表示させる
請求項６に記載の登録装置。
【請求項８】
前記制御手段は、
前記精算装置の指定の態様としていずれの態様が設定されているのかが識別可能なように、前記精算装置対応領域の表示を変更する
請求項１から７のいずれか一項に記載の登録装置。
【請求項９】
前記制御手段は、
前記精算装置の指定の態様として、前記画面に対する操作に応じた精算装置の指定が可能に設定される場合には、前記精算装置対応領域について、対応の精算装置を指定する操作が行われる画像操作子であることが識別される態様で表示し、
前記精算装置の指定の態様として、前記画面に対する操作に応じた精算装置の指定が不可に設定される場合には、前記精算装置対応領域について、対応の精算装置に関する情報の提示に対応する領域であることが識別される態様で表示する
請求項８に記載の登録装置。
【請求項１０】
客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、精算処理を実行する精算装置を指定する操作が行われる物理的操作子を備える登録装置としてのコンピュータを、
前記複数の精算装置ごとに対応して表示部の画面にて表示される複数の精算装置対応領域について、第１の機能と第２の機能とで切替える制御手段
として機能させるためのプログラム。
【発明の詳細な説明】
【技術分野】
【０００１】
本発明は、登録装置及びプログラムに関する。
【背景技術】
【０００２】
店員が行う操作に応じて商品登録処理を実行する登録装置と、客の操作に応じて登録装置にて実行された商品登録処理に応じた精算処理を実行する精算装置とをそれぞれ個別に備えた商品販売データ処理システムが知られている。このような商品販売データ処理システムとして、複数の精算装置ごとに対応する精算装置指定ボタンを登録装置の画面に表示させ、店員によって操作された精算装置指定ボタンに対応する精算装置に対して精算処理を指示するようにされたものが知られている（例えば、特許文献１参照）。
【先行技術文献】
【特許文献】
【０００３】
【特許文献１】特開２０１８−６０４１０号公報
【発明の概要】
【発明が解決しようとする課題】
【０００４】
上記引用文献１の技術では、精算装置に対する精算処理の指示は、画面に表示された精算装置指定ボタンに対する操作に限定されている。店員によっては、なんらかの理由で、精算装置指定操作については、画面に表示された精算装置指定ボタンに対する操作以外の操作を行いたいと考える場合がある。一例として、店員によっては、爪を長くしているという事情や、操作に対する反応の体感的な速度の違いなどから、タッチパネルに対する操作よりは、物理的なキーに対する操作を好む場合がある。つまり、精算装置に対する精算処理の指示に関し、画面に表示された精算装置指定ボタンに対する操作に限定された状況では、幅広いユーザに使いやすいと感じてもらうことが難しい。
【０００５】
本発明は、このような事情に鑑みてなされたもので、幅広いユーザにとって精算装置に対する精算処理の指示が行いやすくなるようにすることを目的とする。
【課題を解決するための手段】
【０００６】
上述した課題を解決するための本発明の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、精算処理を実行する精算装置を指定する操作が行われる物理的操作子と、前記複数の精算装置ごとに対応して表示部の画面にて表示される複数の精算装置対応領域について、第１の機能と第２の機能とで切替える制御手段とを備える登録装置である。
【０００７】
また、本発明の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、精算処理を実行する精算装置を指定する操作が行われる物理的操作子を備える登録装置としてのコンピュータを、前記複数の精算装置ごとに対応して表示部の画面にて表示される複数の精算装置対応領域について、第１の機能と第２の機能とで切替える制御手段機能させるためのプログラムである。
【発明の効果】
【０００８】
本発明によれば、幅広いユーザにとって精算装置に対する精算処理の指示が行いやすくなるという効果が得られる。
【図面の簡単な説明】
【０００９】
【図１】第１実施形態におけるＰＯＳシステムの構成例を示す図である。
【図２】第１実施形態における登録装置と精算装置の外観例を示す図である。
【図３】第１実施形態における登録装置の構成例を示す図である。
【図４】第１実施形態における精算装置の構成例を示す図である。
【図５】第１実施形態における商品登録画面の態様の一例を示す図である。
【図６】第１実施形態における詳細情報ウィンドウの態様の一例を示す図である。
【図７】第１実施形態における登録装置が実行する処理手順例の一例を示すフローチャートである。
【図８】第２実施形態における詳細情報ウィンドウの態様の一例を示す図である。
【図９】第３実施形態における精算装置指定ボタンの態様の一例を示す図である。
【発明を実施するための形態】
【００１０】
以下、本発明の実施形態について図面を参照して説明する。
＜第１実施形態＞
図１は、本実施形態に係るＰＯＳシステム１（商品販売データ処理システムの一例）の構成例を示している。同図に示すＰＯＳシステム１は、管理装置１０と、２台の登録装置２０−１、２０−２と、３台の精算装置３０−１、３０−２、３０−３とを備える。
なお、以降の説明にあたり、登録装置２０−１、２０−２について特に区別しない場合には、登録装置２０と記載する。また、精算装置３０−１、３０−２、３０−３について特に区別しない場合には、精算装置３０と記載する。
管理装置１０と登録装置２０と精算装置３０とは、有線または無線接続のＬＡＮ（Local Area Network）１１で相互に接続されている。
【００１１】
なお、同図に示したＰＯＳシステム１の構成は一例である。例えば、ＰＯＳシステム１において、登録装置２０と精算装置３０との設置数は特に限定されるものではなく、それぞれ１台以上であればよい。また、本実施形態のＰＯＳシステム１は、管理装置１０を含まない構成としてもよい。
なお、ＰＯＳシステム１の構成として、管理装置１０を含まない構成とする場合には、他の装置（例えば、複数の登録装置２０のうち代表となる１台の登録装置２０）に、管理装置１０としての機能を兼用させてもよい。
【００１２】
管理装置１０は、ＰＯＳシステム１を管理する情報処理装置であり、ＰＯＳシステム１において登録装置２０や精算装置３０などを管理し、商品マスタなどの種々の情報を管理する。管理装置１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。
管理装置１０は、最新の商品情報が反映された商品マスタを、外部（例えば、本部のサーバ、リムーバブル形式の記憶媒体）から取得し、登録装置２０及び各精算装置３０に適宜送信する。
【００１３】
登録装置２０は、購入対象の商品を登録する商品登録処理を実行する。商品を登録する操作（商品登録操作）は、例えば、スキャナを用いて商品に付されているバーコードを読み取らせる操作、あるいは商品登録画面に表示されたプリセットボタン等に対する操作等として行われる。このような商品登録操作によって、登録装置２０には例えば商品識別情報が入力され、登録装置２０は、入力された商品識別情報に対応する商品情報を取得する。
また、登録装置２０は、一取引ごとに対応して登録された商品の精算に用いられる情報（以下、精算情報という）を生成し、記憶する。
【００１４】
精算情報は、対応の取引を識別する取引識別情報、当該精算情報を識別する精算情報識別情報、登録日時、登録された各商品の商品識別情報、登録された各商品の商品名、販売価格、値引き情報、購入対象の商品の品数を示す取引点数（購入点数）、購入対象の商品の総額（合計金額）を含んでよい。また、精算情報は、当該精算情報を生成した登録装置２０（すなわち、当該精算情報に係る商品を登録した登録装置２０）を識別するための登録装置識別情報をさらに含んでもよい。このように、精算情報は、一取引に応じた商品登録処理結果が反映された内容を有する。
【００１５】
精算情報は、精算装置３０において精算処理に用いられる。精算処理とは、登録された商品の代金を、現金、電子マネー、クレジットカードなどを選択的に用いて支払い、決済する処理である。
【００１６】
本実施形態では、複数の精算装置３０が設置され、複数のうちのいずれか１台が、登録装置２０において生成された精算情報を用いて精算処理を実行する。複数の精算装置３０のうちから、精算処理を実行させるべき精算装置３０を指定する態様としては、下記の第１の指定態様と第２の指定態様が挙げられる。
【００１７】
第１の指定態様は、精算処理を実行させる精算装置３０を、店員が登録装置２０にて指定する態様である。
すなわち、店員が、精算装置３０を指定する操作を登録装置２０に対して行うことによって、複数の精算装置３０のうちから精算処理を実行させる精算装置３０を指定する。
なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００１８】
店員が精算装置３０を指定した場合には、ＬＡＮ１１を介して、登録装置２０において生成された精算情報が、指定された精算装置３０に送信される。すなわち、登録装置２０は、商品登録処理に続いて精算装置３０が指定された場合には、指定された精算装置３０に対し、当該商品登録処理の結果が反映された精算情報を送信する。
なお、本実施形態では、登録装置２０は、直接、精算装置３０に精算情報を送信するが、管理装置１０を経由して、精算装置３０に精算情報を送信してもよい。
【００１９】
また、第２の指定態様は、精算処理用の媒体（お会計券（登録商標））を登録装置２０から発行させ、店員から手渡しされたお会計券を、客が１つの精算装置３０に読み取らせる態様である。
すなわち、客が、店員から手渡しされたお会計券を精算装置３０に読み取らせることによって、複数の精算装置３０のうちから精算処理を実行させる精算装置３０を指定する。
お会計券には、発行元の登録装置２０を示す登録装置識別情報と精算情報とが、バーコード（一次元コード）または二次元コードのいずれかのコードの形式で印字（印刷）されている。精算装置３０は、お会計券のコードを読み取ると、読み取ったコードにより示される精算情報を取得する。
【００２０】
精算装置３０は、客の操作に応じて精算処理を実行する。また、精算装置３０は、精算処理を終了した場合には、登録装置２０に精算処理の終了を通知する。
【００２１】
次に、図２〜図４を参照して、登録装置２０及び精算装置３０の構成例について説明する。
図２は、登録装置２０と精算装置３０との外観例を示す斜視図である。図３は、登録装置２０の構成例を示すブロック図である。図４は、精算装置３０の構成例を示すブロック図である。
【００２２】
登録装置２０は、図３に示すように、ＣＰＵ（Central Processing Unit）２０１と、記憶部２０２と、ＲＡＭ（Random Access Memory）２０３と、スキャナ部２０４と、店員用表示部２０５と、客用表示部２０５ａと、操作部２０６と、通信部２０７と、ブザー２０８と、印刷部２０９と、カードリーダ２１０を備える。これらは、バスを介して相互に通信可能である。
【００２３】
ＣＰＵ２０１は、中央演算処理装置であり、記憶部２０２に記憶されているプログラムを読み出して実行することにより、登録装置２０の動作を制御する。
記憶部２０２は、ＣＰＵ２０１の補助記憶装置であって、プログラムをはじめとしてＣＰＵ２０１が利用する各種の情報を記憶する。
【００２４】
ＲＡＭ２０３は、ＣＰＵ２０１の主記憶装置であって、種々の情報を記憶する。例えば、ＲＡＭ２０３は、管理装置１０から取得した商品マスタや、商品登録処理後に生成された精算情報などを記憶する。
スキャナ部２０４は、商品に付されているバーコード（商品コード）を光学的に読み取る。
【００２５】
店員用表示部２０５は、タッチパネル（例えば、液晶タッチパネル）であり、店員用の種々の情報を表示する。
例えば、店員用表示部２０５は、商品情報（商品コード等）に関連付けられているプリセットボタンを配置した商品登録画面などを表示する。
【００２６】
客用表示部２０５ａは、客用の種々の情報を表示する。例えば、客用表示部２０５ａは、登録した商品の価格等を表示する。客用表示部２０５ａは、タッチパネル（例えば、液晶タッチパネル）であってもよい。
【００２７】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００２８】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、お会計券を印刷して発行することができる。
【００２９】
カードリーダ２１０は、例えばＩＣ（Integrated Circuit）カード形式のＲＦＩＤ（Radio Frequency Identifier）タグに対する情報の読み出しを行うデバイスである。
【００３０】
図２においては、スキャナ部２０４、店員用表示部２０５、操作部２０６、印刷部２０９及びカードリーダ２１０を含む登録装置２０の外観例が示される。
【００３１】
精算装置３０は、図４に示すように、ＣＰＵ３０１と、記憶部３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２と、カードリーダ３１３とを備える。これらは、バスを介して相互に通信可能である。
【００３２】
ＣＰＵ３０１は、中央演算処理装置であり、記憶部３０２に記憶されているプログラムを読み出して実行することにより、精算装置３０の動作を制御する。
記憶部３０２は、ＣＰＵ３０１の補助記憶装置であって、プログラムをはじめとしてＣＰＵ３０１が利用する各種の情報を記憶する。
【００３３】
ＲＡＭ３０３は、ＣＰＵ３０１の主記憶装置であって、種々の情報を記憶する。例えば、ＲＡＭ３０３は、管理装置１０から取得した商品マスタや、登録装置２０から取得した精算情報に基づいて精算処理を実行した結果が反映された精算処理情報を記憶する。
スキャナ部３０４は、例えば、お会計券に印刷されたコード（バーコードまたは２次元コード）や、会員カード等に付されているコード（会員コード）を光学的に読み取る。
【００３４】
表示部３０５は、タッチパネル（例えば、液晶タッチパネル）であり、種々の情報を表示する。例えば、表示部３０５は、合計金額などが表示される精算画面を表示する。
【００３５】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００３６】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち、商品の買上金額の決済）が終了した場合、客が持ち帰る精算済みレシートを印刷して発行する。
【００３７】
決済部３１０は、決済（精算）に関する処理を行う。本実施形態における決済部３１０が対応可能な決済の種別としては、現金による決済と、クレジットカードの使用による決済と、電子マネーの使用による決済とのうちの少なくともいずれか１つである場合を例に挙げる。
現金による決済に対応するため、決済部３１０は、釣銭機を備える。釣銭機は、紙幣の投入及び排出をする紙幣投入口、硬貨を投入するための硬貨投入口、釣銭を排出する釣銭排出口を備えている。決済部３１０は、釣銭機によって、現金により決済を実行し、決済を実行した結果（例えば、決済が成立したか否かを示す情報）を、バスを介してＣＰＵ３０１に出力する。
また、クレジットカードの使用による決済に対応する場合、決済部３１０は、クレジットカードリーダを備え、クレジットカードリーダにより読み込まれた情報を利用して精算処理を行う。
また、電子マネーの使用による決済に対応する場合、決済部３１０は、電子マネーリーダを備え、電子マネーリーダにより読み込まれた情報を利用して精算処理を行う。
【００３８】
サインポール３１１は、複数色の表示灯を有し、それらの表示灯を点灯や点滅させることで、精算装置３０が店員により指定された装置であることを示す情報を報知したり、操作可能である旨を報知したりする。
人感知センサ３１２は、精算装置３０の正面の所定圏内に人物（客）がいることを検知するセンサである。
なお、人感知センサ３１２の検知出力は、例えば精算装置３０が、人が自機に近づいたことに応じて、自動的に精算画面を表示させる際に、人が自機に近づいたか否かを判定するのに用いられる。しかしながら、精算装置３０は、例えば精算画面は、例えば精算情報の受信や、お会計券に印刷されたバーコードの読み取りなどに応じて表示されるようにしてもよく、この場合には、人感知センサ３１２は、省略されてよい。
【００３９】
カードリーダ３１３は、例えばＩＣカード形式のＲＦＩＤタグに対する情報の読み出しを行うデバイスである。
【００４０】
図２においては、スキャナ部３０４、表示部３０５、操作部３０６、印刷部３０９、決済部３１０、サインポール３１１及びカードリーダ３１３などを含む精算装置３０の外観構成が示される。
【００４１】
図５は、本実施形態の登録装置２０の店員用表示部２０５において表示される商品登録画面の一例を示している。
同図の商品登録画面は、１取引ごとに対応する商品登録内容を示すシート（商品登録シート）が重ねられた構造を有する。各商品登録シートにはタブ（商品登録タブ：見出し領域の一例）が付されている。同図においては、３つの商品登録タブＴＡＢ１−１、ＴＡＢ１−２、ＴＡＢ１−３が表示されている。同図の商品登録画面は、これら３つの商品登録シートが重ねられた状態の構造を有する。
商品登録タブＴＡＢ１−１、ＴＡＢ１−２、ＴＡＢ１−３には、登録順番号を示す数字が表示されている。登録順番号は、商品の登録が開始された順番を示す。同図においては、商品登録タブＴＡＢ１−１、ＴＡＢ１−２、ＴＡＢ１−３のそれぞれに登録順番号「１」、「２」、「３」が表示されている。これは、商品の登録が開始された順番が、商品登録タブＴＡＢ１−１に対応する取引、商品登録タブＴＡＢ１−２に対応する取引、商品登録タブＴＡＢ１−３に対応する取引の順であることを示す。
なお、以降の説明にあたり、個々の商品登録タブＴＡＢ１−１、ＴＡＢ１−２、ＴＡＢ１−３等について特に区別しない場合には、商品登録タブＴＡＢ１と記載する。
【００４２】
同図のように３つの商品登録タブＴＡＢ１が表示されているということは、登録装置２０にて未だ商品登録が完了していない（商品登録中の）取引が３つあることを示している。店員は、これら３つの商品登録シートのうちで、最前面に配置される商品登録シートに対する操作を行って対応の取引についての商品登録を行うことができる。最前面よりも下に配置される商品登録シートが対応する取引については、商品登録が保留された状態である。
店員は、商品登録タブＴＡＢ１に対する操作（タッチ操作）を行うことで、操作された商品登録タブＴＡＢ１の付された商品登録シートを最前面に移動させ、最前面に移動された商品登録シートに対応する取引の商品登録を行うことができる。つまり、店員は、商品登録タブＴＡＢ１に対する操作によって複数の商品登録中の取引のうちから任意の１つの取引に対応する商品登録シートをアクティブとなるように選択し、アクティブの商品登録シートに対応する取引における商品登録操作を行うことができる。
【００４３】
同図においては、商品登録タブＴＡＢ１−１の付された商品登録シートが最前面で表示された状態が示されている。最前面で表示された商品登録シートにおいては、商品ボタンエリアＡＲ１０が配置されている。商品ボタンエリアＡＲ１０においては、商品ごとに対応する商品ボタンが配置される。商品ボタンには、例えば対応の商品を示す商品名が表示されている。
店員は、商品登録操作において、商品ボタンに対する操作を行うことで、登録対象の商品の指定を行うことができる。店員は、買上商品ごとに対応する商品ボタンに対する操作を行っていくことで、順次、商品の登録を行っていくことができる。
【００４４】
商品登録画面においては、登録商品リスト領域ＡＲ１１、登録商品領域ＡＲ１２、合計金額領域ＡＲ１３が配置される。登録商品リスト領域ＡＲ１１は、一取引において現時点までに登録された商品の内訳を示す領域である。登録商品領域ＡＲ１２は、一取引において最後に登録された商品についての情報を示す領域である。合計金額領域ＡＲ１３は、一取引においてこれまでに登録された商品の総数と合計金額とを示す領域である。
【００４５】
同図の商品登録シートに対応する商品登録の操作は未だ開始されていない。このため、登録商品リスト領域ＡＲ１１には、登録された商品に関する情報は示されていない。登録商品領域ＡＲ１２においても、最後に登録された商品に関する情報は示されておらず、商品の価格は０円として示される。合計金額領域ＡＲ１３においては、これまでに登録された商品の総数は「０」であり、合計金額も０円として示される。
【００４６】
また、商品登録画面においては、精算装置指定ボタンＢＴ１−１、ＢＴ１−２、ＢＴ１−３（精算装置対応領域の一例）が配置される。精算装置指定ボタンＢＴ１−１、ＢＴ１−２、ＢＴ１−３は、それぞれ、精算装置３０−１、３０−２、３０−３に対応する。
なお、精算装置指定ボタンＢＴ１−１、ＢＴ１−２、ＢＴ１−３について特に区別しない場合には、精算装置指定ボタンＢＴ１と記載する。精算装置指定ボタンＢＴは、一取引に応じた精算処理を実行させる精算装置３０を指定する精算装置指定操作が行われるボタンである。
【００４７】
例えば、店員は、一取引に応じた商品登録処理が完了して小計操作を行ったうえで、精算装置３０のうちで、今回の一取引に対応する精算処理を実行させるべき精算装置３０をいずれとするのかを判断する。店員は、精算装置指定操作として、判断した精算装置３０に対応する精算装置指定ボタンＢＴ１に対する操作を行う。登録装置２０は、精算装置指定操作によって指定された精算装置３０に対して、精算処理を指示する精算指示情報を送信する。精算指示情報は、今回の一取引に応じた商品登録処理が反映された精算情報を含む。
【００４８】
このように、ＰＯＳシステム１においては、前述の第１の指定態様として、登録装置２０の店員用表示部２０５に表示された精算装置指定ボタンＢＴ１に対する操作によって、精算処理を実行させるべき精算装置３０を指定する精算装置指定操作を行うことができる。
【００４９】
また、精算装置指定ボタンＢＴ１においては、対応の精算装置３０についての現在の状態を示す精算装置状態表示が行われる。同図では、精算装置状態表示は、精算装置指定ボタンＢＴ１ごとに配置されたバッジＢＧにより行われる例が示される。
具体的に、同図の精算装置指定ボタンＢＴ１−１には、「待機」と表示されたバッジＢＧが配置された例が示されている。この精算装置指定ボタンＢＴ１−１の状態は、精算装置３０−１が精算処理の開始を待機している待機状態にあることを示す。つまり、この際の精算装置３０−１は、精算関連操作も開始されておらず、精算指示情報も受信していない状態である。
同図においては、精算装置指定ボタンＢＴ１−２においても「待機」と表示されたバッジＢＧが配置されており、精算装置３０−１が待機状態にあることを示している。
また、精算装置指定ボタンＢＴ１−３には、「使用中」と表示されたバッジＢＧが配置された例が示されている。さらに、精算装置指定ボタンＢＴ１−３における「精算機３」の文字に対して斜線が引かれた状態となっている。この精算装置指定ボタンＢＴ１−３の状態は、精算装置３０−３が、精算指示情報の受信により取得された精算情報に基づく精算処理を客の操作に応じて実行中であることを示す。
なお、上記のような精算装置３０の状態ごとに応じて、例えば精算装置指定ボタンＢＴ１自体の色、柄などが変更されるように表示されてもよい。
【００５０】
なお、精算装置状態表示によっては、例えばニアエンド、ニアフル、故障など、上記の「待機」、「使用中」以外の各種の状態も示されてよい。精算装置状態表示は、精算装置指定ボタンＢＴ１内に収まるように文字やアイコン等により表示したり、精算装置指定ボタンＢＴ１とは別の領域にて表示したりするなど、バッジＢＧ以外の態様によって表示されてもよい。
【００５１】
上記のような登録装置２０における精算装置３０ごとの状態に関する表示は、ＰＯＳシステム１において、精算装置３０が自己の状態についての通知を、定期的あるいは登録装置２０や管理装置１０からの問合せに応答して行うことにより実現される。
【００５２】
また、本実施形態の登録装置２０は、図３に示されるように、操作部２０６において精算装置指定キー２６１−１、２６１−２、２６１−３を備える。精算装置指定キー２６１−１、２６１−２、２６１−３は、精算処理を実行させるべき精算装置３０を指定する操作が行われるキーである。精算装置指定キー２６１−１、２６１−２、２６１−３は、それぞれ、精算装置３０−１、３０−２、３０−３に対応する。精算装置指定キー２６１−１、２６１−２、２６１−３について特に区別しない場合には、精算装置指定キー２６１と記載する。つまり、ＰＯＳシステム１においては、前述の第１の指定態様として、物理的操作子（メカキー）である精算装置指定キー２６１を操作することよっても、精算装置指定操作を行うことができる。
【００５３】
上記のように、本実施形態においては、第１の指定態様に応じた精算装置指定操作に用いられる操作子として、店員用表示部２０５の画面において画像として配置される精算装置指定ボタンＢＴ１と、メカキーである精算装置指定キー２６１とが備えられる。
このように、精算装置指定操作に用いられる操作子として、精算装置指定ボタンＢＴ１と、メカキーである精算装置指定キー２６１とを備える登録装置２０は、精算装置指定操作について以下の２つのモード（精算装置指定モード）の間で設定を切り替えることができる。
１つは、精算装置指定ボタンＢＴ１と精算装置指定キー２６１とのいずれに対する操作も、精算装置指定操作として有効に受け付けられるモード（以下、マルチモード）である。
もう１つは、精算装置指定キー２６１に対する操作は精算装置指定操作として有効に受け付けられるが、精算装置指定ボタンＢＴ１に対する操作は精算装置指定操作として有効であるとして受け付けられないモード（以下、メカキー限定モード）である。
【００５４】
例えば、店員によっては、精算装置指定操作に関して、店員用表示部２０５の画面に対する操作よりも、操作部２０６において配置されるメカキーに対する操作のほうが、操作性が良いと感じる場合がある。
また、店員用表示部２０５は、タッチパネルとして構成されるが、精算装置指定ボタンＢＴ１は、店員用表示部２０５の表示面においてほぼ固定された位置に配置される。そのうえで、精算装置指定操作は、一取引ごとに行われる操作であるために頻度が高い。このため、店員用表示部２０５のタッチパネルにおいて、精算装置指定ボタンＢＴ１が表示された部分が、他の部分よりも劣化しやすくなる場合がある。
そこで、本実施形態では、メカキーとしての精算装置指定キー２６１を設けて、精算装置指定キー２６１に対する操作によっても精算装置指定操作が行えるようにされる。これにより、マルチモードを設定することにより、精算装置指定操作に関して、画面に対する操作を好む店員と、操作部２０６のメカキーに対する操作を好む店員との双方に対応して良好な操作性を提供できる。また、精算装置指定操作として、操作部２０６のメカキーに対する操作の選択肢が得られることで、画面に対する操作が行われる頻度を抑えて、タッチパネルの劣化も抑制することが可能になる。
【００５５】
なお、本実施形態のもとで、精算装置指定操作について、精算装置指定ボタンＢＴ１に対する操作は精算装置指定操作として有効に受け付けられるが、精算装置指定キー２６１に対する操作は精算装置指定操作として有効であるとして受け付けられないモード（以下、ソフトウェアキー限定モード）の設定が可能とされてもよい。
ただし、以降の説明では、ソフトウェアキー限定モードについては設定不可とされ、マルチモードとメカキー限定モードとの２つのモードのいずれかを設定可能とされた場合を例に挙げる。
【００５６】
本実施形態の登録装置２０における精算装置指定モードの設定は、登録装置２０に対して店員が所定操作を行うことによって、店員の意図に応じて任意に行えるようにされてよい。
あるいは、例えば登録装置２０や管理装置１０等に、店員識別子ごとに精算装置指定モードを対応付けた店員対応モード情報を記憶させておく。そのうえで、店員が登録装置２０の操作の開始にあたり店員識別情報を登録装置２０に入力させたことに応じて、登録装置２０にて、店員対応モード情報において入力された店員識別情報に対応付けられた精算装置指定モードが設定されるようにしてよい。
あるいは、予め定められたスケジュール等に従って、店舗内の登録装置２０のそれぞれに対して、共通もしくは個別に精算装置指定モードが設定されるようにしてよい。
あるいは、登録装置２０の操作を行うため店員が担当者として登録装置２０にログインする操作を行った後において、最初に店員が行った精算装置指定操作に応じて、ログイン中の精算装置指定モードを設定してもよい。つまり、ログイン後に最初に行った精算装置指定操作がメカキー２６１に対する操作である場合には、ログイン中における以降の精算装置指定モードをメカキー限定モードに設定してよい。一方、ログイン後に最初に行った精算装置指定操作が精算装置指定ボタンＢＴ１に対する操作である場合には、ログイン中における以降の精算装置指定モードをマルチモードに設定してよい。
あるいは、例えば１営業日、１週間分の営業日、１ヶ月分の営業日等の一定期間において、開始時には、まずマルチモードを設定しておく。そのうえで、一定期間において精算装置指定操作として行われた精算装置指定ボタンＢＴ１に対する操作の回数が予め定められた一定数に達したことに応じて、一定期間における以降の精算装置指定モードをメカキー限定モードに固定的に設定するようにしてよい。このような精算装置指定モードの設定（切り替え）の態様とすることで、タッチパネルにおいて精算装置指定ボタンＢＴ１が表示される領域の劣化を積極的に防止できる。
【００５７】
精算装置指定モードとしてマルチモードが設定されている場合、店員は、精算装置指定操作として、精算装置指定ボタンＢＴ１に対する操作と、精算装置指定キー２６１に対する操作とのいずれに対する操作も可能とされる。つまり、マルチモードが設定された登録装置２０は、精算装置指定ボタンＢＴ１に対する操作と、精算装置指定キー２６１に対する操作とのいずれの操作についても、有効な精算装置指定操作として受け付ける。
【００５８】
一方、精算装置指定モードとしてメカキー限定モードが設定されている場合、店員は、精算装置指定操作として、精算装置指定キー２６１に対する操作は可能であるが、精算装置指定ボタンＢＴ１に対する操作は不可となる。つまり、メカキー限定モードが設定された登録装置２０は、精算装置指定キー２６１に対する操作は有効な精算装置指定操作として受け付けるが、精算装置指定ボタンＢＴ１に対する操作は有効な精算装置指定操作として受け付けない。
【００５９】
上記のようにメカキー限定モードが設定されている場合には、精算装置指定ボタンＢＴ１としての画像領域は、精算装置指定操作に用いられる操作子としての機能は有さない。この場合、精算装置指定ボタンＢＴは、特に機能を有していないのにもかかわらず、店員用表示部２０５の画面にて配置されていることになるため、無駄な表示となってしまう。
そでこ、本実施形態においては、メカキー限定モードが設定されている場合には、精算装置指定ボタンＢＴ１は、対応の精算装置３０に関する詳細情報の出力に対応する画像領域として機能するようにされる。
【００６０】
具体的に、メカキー限定モードが設定されている状態において、店員用表示部２０５の画面に配置される精算装置指定ボタンＢＴ１に対する操作が行われた場合には、操作された精算装置指定ボタンＢＴ１が対応する精算装置３０に関する詳細情報ウィンドウが表示される。
【００６１】
図６は、メカキー限定モードのもとで精算装置指定ボタンＢＴ１−１が操作されたことに応じて表示された詳細情報ウィンドウＷＤの一例を示している。同図の詳細情報ウィンドウＷＤは、商品登録画面上に重畳するように配置されるウィンドウ形式とされた例が示されている。詳細情報ウィンドウＷＤは、精算装置指定ボタンＢＴ１−１に対応する精算装置３０−１に関する詳細情報を提示する小画面である。
同図の例では、詳細情報ウィンドウＷＤにおいて、「精算機１」と表示されていることで、精算装置３０−１に関する詳細情報を提示する詳細情報ウィンドウＷＤであることが示される。そのうえで、詳細情報ウィンドウＷＤにおいては釣銭状態エリアＡＲ２１、精算処理状態エリアＡＲ２２、及びプリンタ状態エリアＡＲ２３が配置される。
【００６２】
釣銭状態エリアＡＲ２１は、対応の精算装置３０が備える釣銭機において格納される貨幣の状態（釣銭状態）を示すエリアである。具体的に、同図においては、釣銭状態として、釣銭機が現在格納する金種ごとの「枚数」と、金種ごとの枚数に応じた「状態」とが示される。釣銭機においては、金種ごとにニアフル、ニアエンドの状態に対応する閾値が定められている。同図の釣銭の「状態」の欄においては、具体例として、１００円の金種についてニアフルの状態であり、１０円の金種についてニアエンドの状態であることが示されている。
【００６３】
精算処理状態エリアＡＲ２２は、対応の精算装置３０の精算処理に関連する状態（精算処理状態）を示す。精算処理状態エリアＡＲ２２においては、精算処理状態として、例えば同図に示される「待機中」のほか、状態に応じて、「使用中」、「オフライン」等が示される。
「待機中」は、対応の精算装置３０が精算処理の実行を待機している状態であることを示す。「使用中」は、対応の精算装置３０が精算処理を実行中であることを示す。「オフライン」は、登録装置２０と対応の精算装置３０との通信が不可の状態であることを示す。「オフライン」の状態のもとでは、登録装置２０から精算装置３０に対して精算指示情報を送信して精算装置３０に精算処理の実行を指示することができない。
【００６４】
プリンタ状態エリアＡＲ２３は、対応の精算装置３０が備える印刷部３０９の状態（プリンタ状態）を示す。プリンタ状態エリアＡＲ２３においては、プリンタ状態として、同図に示される「正常」のほか、例えば「レシートニアエンド」の状態等が示される。
「正常」は、印刷部３０９が正常な状態にあることを示す。「レシートニアエンド」は、印刷部３０９が印刷に用いるレシート用紙の残量が一定以下となった状態であることを示す。
【００６５】
同図においても示されるように、精算装置指定ボタンＢＴ１においては、対応の精算装置３０の状態をバッジＢＧとしての小さい画像領域の表示によって簡易に示すことは行われていた。
しかしながら、本実施形態のように精算装置指定ボタンＢＴ１に対する操作に応じて対応の精算装置３０の詳細情報ウィンドウＷＤが表示されるようにすることで、店員は必要に応じて精算装置３０の状態の詳細を手軽に確認することができる。
このようにして、本実施形態においては、メカキー限定モードにおいて、精算装置指定ボタンＢＴ１に対して、対応の精算装置３０の詳細情報の提示に対応する機能が付与される。これにより、精算装置指定ボタンＢＴ１としての画像領域の有効利用が図られる。
【００６６】
本実施形態においては、上記のように表示された詳細情報ウィンドウＷＤは、例えば表示の開始から一定時間が経過したことに応じて消去されてもよいし、消去のための所定操作に応じて消去されるようにしてもよい。
【００６７】
消去のための所定操作としては、対応の精算装置指定ボタンＢＴ１に対する操作であってもよい。
この場合において、例えば或る精算装置３０に対応する詳細情報ウィンドウＷＤが表示されている状態のもとで、他の精算装置３０に対応する精算装置指定ボタンＢＴ１に対する操作が行われたことに応じて、これまで表示されていた或る精算装置３０に対応の詳細情報ウィンドウＷＤが消去され、代わりに、他の精算装置３０に対応の詳細情報ウィンドウＷＤが表示されるようにしてもよい。
【００６８】
また、或る精算装置３０に対応する詳細情報ウィンドウＷＤが表示されている状態のもとで、他の精算装置３０に対応する精算装置指定ボタンＢＴ１に対する操作が行われた場合に、これまで表示されていた詳細情報ウィンドウＷＤを消去させることなく表示を継続させたうえで、さらに他の精算装置３０に対応の詳細情報ウィンドウＷＤが表示されるようにしてもよい。
この場合、詳細情報ウィンドウＷＤは、画面にて、対応の精算装置指定ボタンＢＴ１に対する操作が行われた精算装置３０ごとに対応して複数が配置されることになる。画面にて複数配置される詳細情報ウィンドウＷＤは、例えば互いに重ならないように所定の態様で配置されてもよいし、一部が重なるように配置されてもよい。一部が重なるように詳細情報ウィンドウＷＤが配置される場合には、例えば、タッチ操作が行われた詳細情報ウィンドウＷＤが最前面に移動するようにされてよい。
【００６９】
また、消去のための所定操作としては、例えば図示は省略するが、詳細情報ウィンドウＷＤ内に消去を指示する消去ボタンを設けたうえで、消去ボタンに対して行われる操作であってよい。
【００７０】
また、例えば商品登録処理が完了して、精算装置指定操作としての精算装置指定キー２６１に対する操作を受付可能な状態のもとで詳細情報ウィンドウＷＤが表示されている場合には、精算装置指定キー２６１に対する操作に応じて消去されてもよい。
【００７１】
また、同図では商品登録画面とともに精算装置指定ボタンＢＴ１が表示された例が示されている。しかしながら、精算装置指定ボタンＢＴ１は商品登録画面以外の画面と組み合わせて表示されてよい。そのうえで、メカキー限定モードにおいては、商品登録画面以外の画面とともに精算装置指定ボタンＢＴ１が表示されている状態のもとで精算装置指定ボタンＢＴ１が操作されたことに応じて、対応の詳細情報ウィンドウＷＤが表示されてよい。
【００７２】
図７のフローチャートを参照して、本実施形態の登録装置２０が実行する処理手順例について説明する。
同図の説明にあたっては、一取引に応じた商品登録処理は小計操作が行われることに応じて完了する場合を例に挙げる。小計操作は、例えば操作部２０６における所定の操作キーもしくは店員用表示部２０５の画面において表示される小計操作用のキーに対する操作であってよい。
また、同図の説明にあたっては、表示された詳細情報ウィンドウＷＤは、表示の開始に際して操作されたのと同じ精算装置指定ボタンＢＴ１に対する操作が行われたことに応じて消去されるようにした場合を例に挙げる。
【００７３】
ステップＳ１０１：店員は、一取引に対応する客の購入対象の商品のうち、例えば１つ目の商品を登録する操作を行う。このように１つ目の商品を登録する操作が行われたことに応じて、登録装置２０は、一取引に対応する商品登録処理を開始する。商品登録処理が開始された後、登録装置２０は、小計操作が行われるまで、店員による商品登録操作が行われるごとに商品登録処理を実行する。
ステップＳ１０２：商品登録処理が開始された後において、登録装置２０は、小計操作が行われたか否かについて判定する。
【００７４】
ステップＳ１０３：ステップＳ１０２にて小計操作が行われないと判定された場合、登録装置２０は、精算装置指定ボタンＢＴ１に対する操作が行われたか否かについて判定する。
ステップＳ１０４：精算装置指定ボタンＢＴ１に対する操作が行われた場合、登録装置２０は、現在において、操作が行われた精算装置指定ボタンＢＴ１に対応の精算装置３０の詳細情報ウィンドウＷＤが表示中の状態であるか否かについて判定する。
ステップＳ１０５：ステップＳ１０４にて、対応の精算装置３０の詳細情報ウィンドウＷＤが表示中の状態であることが判定された場合、登録装置２０は、対応の精算装置３０の詳細情報ウィンドウＷＤを消去する。ステップＳ１０５の処理の後はステップＳ１０２に処理が戻される。
【００７５】
ステップＳ１０６：一方、ステップＳ１０４にて対応の詳細情報ウィンドウＷＤが表示されていないと判定された場合、登録装置２０は、現在の精算装置指定モードがマルチモードとメカキー限定モードとのいずれであるのかについて判定する。
マルチモードの場合には、精算装置指定ボタンＢＴ１は、精算装置指定操作が行われるボタンとして機能する。ただし、小計操作が行われて商品登録処理が完了するまでは、精算装置指定操作が行われたとしても無効とされる。このため、ステップＳ１０６にてマルチモードであると判定された場合には、ステップＳ１０２に処理が戻される。
【００７６】
ステップＳ１０７：一方、ステップＳ１０４にてメカキー限定モードであると判定された場合、登録装置２０は、今回操作された精算装置指定ボタンＢＴ１に対応する精算装置３０の詳細情報ウィンドウＷＤを店員用表示部２０５に表示させる。ステップＳ１０７の処理の後は、ステップＳ１０２に処理が戻される。
【００７７】
ステップＳ１０８：ステップＳ１０２にて小計操作の行われたことが判定された場合、登録装置２０は、精算装置指定キー２６１が操作されたか否かについて判定する。つまり、精算装置指定操作として、メカキーである精算装置指定キー２６１の操作が行われたか否かについて判定する。
なお、小計操作が行われたことに応じて、店員用表示部２０５にて表示されていた商品登録画面は、小計結果を示す小計画面に変化する。この場合において、精算装置指定ボタンＢＴ１の表示は継続され、例えば図６と同様の位置にて小計画面とともに表示される。
【００７８】
ステップＳ１０９：精算装置指定キー２６１に対する操作が行われなかったことが判定された場合、登録装置２０は、さらに画像操作子である精算装置指定ボタンＢＴ１に対する操作が行われたか否かについて判定する。
ステップＳ１１０：精算装置指定ボタンＢＴ１に対する操作が行われた場合、登録装置２０は、現在において、操作された精算装置指定ボタンＢＴ１に対応の精算装置３０の詳細情報ウィンドウＷＤが表示中の状態であるか否かについて判定する。
ステップＳ１１１：ステップＳ１１０にて対応の精算装置３０の詳細情報ウィンドウＷＤが表示中の状態であることが判定された場合、登録装置２０は、対応の精算装置３０の詳細情報ウィンドウＷＤを消去する。ステップＳ１１１の処理の後は、ステップＳ１０８の処理が戻される。
ステップＳ１１２：一方、ステップＳ１１０にて対応の詳細情報ウィンドウＷＤが表示されていないと判定された場合、登録装置２０は、現在の精算装置指定モードがマルチモードとメカキー限定モードとのいずれであるのかについて判定する。
ステップＳ１１３：ステップＳ１１２にてメカキー限定モードであると判定された場合、登録装置２０は、今回操作された精算装置指定ボタンＢＴ１に対応する精算装置３０の詳細情報ウィンドウＷＤを店員用表示部２０５に表示させる。ステップＳ１１３の処理の後は、ステップＳ１０８に処理が戻される。
【００７９】
ステップＳ１１４：ステップＳ１０８にて精算装置指定キー２６１に対する操作が行われたことが判定された場合、ステップＳ１１２にて精算装置指定モードがマルチモードであることが判定された場合には、精算装置指定操作が行われたことになる。そこで、この場合の登録装置２０は、今回の一取引に応じた精算指示情報を、精算装置指定操作により指定された精算装置３０に送信する。
同図の処理では、詳細情報ウィンドウＷＤが表示されている状態であっても、精算装置指定キー２６１に対する操作による精算装置指定操作が可能なようにされている。
【００８０】
同図の処理のもとでは、メカキー限定モードのもとでは、精算装置指定ボタンＢＴ１に対する操作が行われることに応じて、対応の精算装置３０についての詳細情報ウィンドウＷＤが表示される。また、表示中の詳細情報ウィンドウＷＤに対応する精算装置３０に精算装置指定ボタンＢＴ１に対する操作が行われることに応じて、詳細情報ウィンドウＷＤが消去される。
また、同図の処理では、小計操作が行われる前に表示された詳細情報ウィンドウＷＤであっても、消去のための精算装置指定ボタンＢＴ１に対する操作が行われない限りは消去されないようにされている。
なお、小計操作の前後にまたがって詳細情報ウィンドウＷＤが表示されないようにしてもよい。即ち、例えば小計操作が行われたことに応じて、それまで表示されていた詳細情報ウィンドウＷＤについては消去されるようにしてもよい。
【００８１】
＜第２実施形態＞
続いて、第２実施形態について説明する。
上記第１実施形態においては、１つの精算装置３０に対応して図６に例示する態様の詳細情報ウィンドウＷＤが１つ表示される。そのうえで、複数の精算装置３０ごとに対応して詳細情報ウィンドウＷＤを表示させる場合には、１つの精算装置３０ごとに対応する詳細情報ウィンドウＷＤとしてのウィンドウが複数配置される態様であった。
【００８２】
これに対して、本実施形態においては、複数の精算装置３０ごとに対応して詳細情報ウィンドウＷＤを表示させる場合には、１つの詳細情報ウィンドウＷＤ（表示範囲の一例）にて、複数の精算装置３０ごとに関する情報が含められるように表示される態様が採られる。
【００８３】
本実施形態において、店員用表示部２０５に詳細情報ウィンドウＷＤが表示されていない状態のもとで、例えば１つの精算装置指定ボタンＢＴ１が操作された場合には、図６と同様に、操作された精算装置指定ボタンＢＴ１に対応する１つの精算装置３０に対応する詳細情報ウィンドウＷＤが表示される。
そのうえで、本実施形態では、上記のように１つの精算装置３０の詳細情報ウィンドウＷＤが表示された状態のもとで、次に、他の精算装置に対応する精算装置指定ボタンＢＴ１がさらに操作された場合には以下のように詳細情報ウィンドウＷＤが表示される。
つまり、詳細情報ウィンドウＷＤとしては、例えば１つのウィンドウの配置が維持される。そのうえで、１つの詳細情報ウィンドウＷＤ内において、先に操作された精算装置指定ボタンＢＴ１に対応して表示されていた精算装置３０の詳細情報に加えて、次に操作された精算装置指定ボタンＢＴ１に対応するもう１つの精算装置３０の詳細情報が表示される。つまり、本実施形態では、１つの詳細情報ウィンドウＷＤ内に複数の精算装置３０の詳細情報を提示することができる。
【００８４】
図８は、本実施形態のもとで、１つの詳細情報ウィンドウＷＤにおいて２つの精算装置３０の詳細情報が提示された場合の態様例を示している。同図の詳細情報ウィンドウＷＤは、メカキー限定モードにおいて、以下の操作が行われた場合に対応する。まず、精算装置３０−１に対応する精算装置指定ボタンＢＴ１−１が操作されたことに応じて、精算装置３０−１の詳細情報を含む詳細情報ウィンドウＷＤが表示された。次に、精算装置３０−３に対応する精算装置指定ボタンＢＴ１−３が操作されたことに応じて、精算装置３０−１の詳細情報に加えて、精算装置３０−３の詳細情報を含む詳細情報ウィンドウＷＤが表示された。なお、上記の例とは逆に、先に精算装置３０−３に対応する精算装置指定ボタンＢＴ１−３が操作され、次に精算装置３０−１に対応する精算装置指定ボタンＢＴ１−１が操作された場合にも、同図の詳細情報ウィンドウＷＤが表示されてよい。
【００８５】
同図の詳細情報ウィンドウＷＤにおいては、釣銭状態エリアＡＲ１２１、精算処理状態エリアＡＲ１２２、及びプリンタ状態エリアＡＲ１２３が配置される。
釣銭状態エリアＡＲ１２１においては、精算装置３０−１（「精算機１」）と精算装置３０−３（「精算機３」）とのそれぞれの釣銭状態が示される。同図の例では、金種ごとの区分に対応させて、精算装置３０−１、３０−３それぞれの「枚数」と、金種ごとの枚数に対応する「状態」とが示されている。
精算処理状態エリアＡＲ１２２においては、精算装置３０−１（「精算機１」）と精算装置３０−３（「精算機３」）とのそれぞれの釣銭状態が示される。同図では、精算装置３０−１が「待機中」であり、精算装置３０−３が「使用中」である例が示されている。
プリンタ状態エリアＡＲ１２３においては、精算装置３０−１（「精算機１」）と精算装置３０−３（「精算機３」）とのそれぞれのプリンタ状態が示される。同図では、精算装置３０−１が「正常」であり、精算装置３０−３が「レシートニアエンド」である例が示されている。
【００８６】
同図の詳細情報ウィンドウＷＤにおいては、精算装置３０−１、３０−３の情報を提示するにあたり、釣銭状態、精算処理状態、及びプリンタ状態としての情報項目ごとに振り分けるようにされた態様で提示されている。このような情報の提示の態様とすることで、店員は、釣銭状態、精算処理状態、及びプリンタ状態ごとに注目して、精算装置３０−１、３０−３の状態を把握しやすくなる。
【００８７】
なお、同図では、２つの精算装置３０の詳細情報を提示した例を示しているが、３以上の精算装置３０の詳細情報の提示にあたっても、同図の例に準じて、精算装置３０ごとの釣銭状態、精算処理状態、及びプリンタ状態がそれぞれまとめられた状態で提示される。
【００８８】
なお、同図の例とは異なり、１つの詳細情報ウィンドウＷＤにおいて複数の精算装置３０の詳細情報を提示するにあたり、釣銭状態、精算処理状態、及びプリンタ状態を、複数の精算装置３０ごとにまとめた態様としてもよい。同図の態様とするのか、あるいは釣銭状態、精算処理状態、及びプリンタ状態を、複数の精算装置３０ごとにまとめた態様とするのかについては、例えば登録装置２０に対する操作によって予め設定できるようにしてよい。
【００８９】
なお、同図のように表示された詳細情報ウィンドウＷＤの消去は、例えば以下のように行われてよい。
１つには、詳細情報ウィンドウＷＤにおいて消去用のボタンを配置し、消去用のボタンに対する操作が行われたことに応じて、詳細情報ウィンドウＷＤが消去されるようにしてよい。
あるいは、詳細情報ウィンドウＷＤに詳細情報が含まれている複数の精算装置３０のうちのいずれかに対応する１つの精算装置指定ボタンＢＴ１に対する操作が行われたことに応じて、詳細情報ウィンドウＷＤが消去されるようにしてよい。
あるいは、詳細情報ウィンドウＷＤに詳細情報が含まれている複数の精算装置３０のうちのいずれかに対応する１つの精算装置指定ボタンＢＴ１に対する操作が行われた場合、操作された精算装置指定ボタンＢＴ１に対応する精算装置３０の詳細情報が詳細情報ウィンドウＷＤから消去されるようにしてよい。この場合、操作された精算装置指定ボタンＢＴ１に対応する以外の精算装置３０の詳細情報は、詳細情報ウィンドウＷＤから消去されずに残る。つまり、詳細情報ウィンドウＷＤに含まれる複数の精算装置３０の詳細情報について、精算装置指定ボタンＢＴ１を操作するごとに、対応の精算装置３０の詳細情報が順次消去されるようにしてよい。この場合、最後に残った１つの精算装置３０の詳細情報が含まれる詳細情報ウィンドウＷＤが表示された状態において、対応の精算装置指定ボタンＢＴ１が操作されると、詳細情報ウィンドウＷＤが消去される。
【００９０】
＜第３実施形態＞
続いて、第３実施形態について説明する。
図９（Ａ）は、図５、図６、図８等のように画面において配置された精算装置指定ボタンＢＴ１−１を抜き出して示している。同図の精算装置指定ボタンＢＴ１−１では、自ボタンが精算装置３０−１（精算機１）に対応するものであることを示す情報画像ＭＳ１がメインとして、中央において大きく配置される。一方で、精算装置指定ボタンＢＴ１−１の左上隅に配置されるバッジＢＧにより、待機中の状態であることがサブとして簡易に示される状態となっている。
このような精算装置指定ボタンＢＴ１−１の態様は、第一義に自ボタンが精算装置３０−１（精算機１）に対応するものであることを示したうえで、補助的に精算装置３０−１の状態について示しているといえる。つまり、このような精算装置指定ボタンＢＴ１−１の態様は、自ボタンが精算装置指定操作が行われる操作子であることを示す機能を有しているといえる。
このような態様の表示は、マルチモードのもとでは店員の操作性などの点で有用であるが、メカキー限定モードのもとでは、意味が無いうえに、店員がマルチモードであると勘違いしやすくなるなどの不具合を招く可能性がある。この点については、精算装置指定ボタンＢＴ１−２、ＢＴ１−３にもいえることであり、精算装置指定ボタンＢＴ１について共通である。
【００９１】
そこで、本実施形態においては、精算装置指定ボタンＢＴ１について、マルチモードとされて精算装置指定操作に用いられる場合と、メカキー限定モードとされて精算装置指定操作に用いられない場合とで、表示の態様を変更する。
つまり、マルチモードの場合には、精算装置指定ボタンＢＴ１について、図９（Ａ）に準じた態様の表示を行うようにされる。このような態様であれば、精算装置指定ボタンＢＴ１は、精算装置指定操作にあたり対応の精算装置３０を指定する操作が行われるボタンであることを店員が識別できる。
【００９２】
一方、メカキー限定モードの場合には、精算装置指定ボタンＢＴ１において、自ボタンが対応の精算装置３０に関する情報を提示する機能を有する領域であることを店員が識別できるような態様の表示とする。
具体例として、メカキー限定モードの場合には、精算装置指定ボタンＢＴ１−１については、図９（Ｂ）に示される態様となる。同図の精算装置指定ボタンＢＴ１−１においては、精算装置指定ボタンＢＴ１−１としての画像領域内に、例えば「待機中」、「１００円ニアフル」、「１０円ニアエンド」といった、精算装置３０−１の状態を示す複数（同図では３つ）の情報画像ＭＳ２がメインとして配置されている。一方、バッジＢＧにおいて「精算機１」のように対応の精算装置３０を示す表示がサブとして行われることで、自ボタンが精算装置３０−１に対応することを示している。
このような精算装置指定ボタンＢＴ１−１の態様は、自ボタンが精算装置３０−１（精算機１）に関する情報の提示に対応する領域であることを示しているといえる。
【００９３】
このような態様の精算装置指定ボタンＢＴ１の表示をみることで、店員は、メカキー限定モードであることを把握できる。また、店員は、同図のような精算装置指定ボタンＢＴ１の表示をみるだけでも、対応の精算装置３０の状態についてマルチモードのときより詳細な内容を確認できる。
【００９４】
情報画像ＭＳ２としては、例えば、対応の精算装置３０が精算処理を実行中である場合には、指定された決済種別に応じて精算処理を実行していることを示す表示が行われてよい。具体的には、例えば、決済種別が現金である場合には、現在入金中の金額を示す表示が行われてよい。また、決済種別がクレジットカード、電子マネー、品券、コード決済等である場合には、これらの決済種別に対応させて、例えば「カード決済中」、「電子マネー決済中」、「品券利用決済中」、「コード決済中」等といった表示が行われるようにされてよい。
【００９５】
＜変形例＞
以下、本実施形態の変形例について説明する。
［第１変形例］
図８の例のように複数の精算装置３０の詳細情報を含む１つの詳細情報ウィンドウＷＤの場合には、例えば、複数の精算装置指定ボタンＢＴ１を同時（即ち、同時と見なされる一定以内の時間差の範囲内）に操作することが行われたことに応じて、対応する複数の精算装置３０の詳細情報を含むものが表示されるようにしてよい。そのうえで、例えば、１つの精算装置指定ボタンＢＴ１に対する操作が行われた場合には、第１実施形態と同様に、対応する１つの精算装置３０の詳細情報を含む詳細情報ウィンドウＷＤが表示されるようにしてよい。
【００９６】
［第２変形例］
先の実施形態では、店員の操作に応じて商品登録処理を行う商品登録装置と、客の操作に応じて精算処理を実行する精算装置とを備えるＰＯＳシステム１を例に挙げた。
しかしながら、上記各実施形態のように、マルチモードとメカキー限定モードとで精算装置指定ボタンの機能を変更する構成は、以下のようなＰＯＳシステムにも適用してよい。
即ち、店員が商品登録操作と精算に対応する操作とを行うようにされる第１会計モードと、店員が商品登録操作を行い、客が精算に対応する操作を行うようにされる第２会計モードと、客が商品登録操作と精算に対応する操作とを行うようにされる第３会計モードとで切り替えが可能なようにされたＰＯＳレジスタを複数備えるＰＯＳシステムにも適用できる。このようなＰＯＳシステムでは、第１会計モードまたは第２会計モードにより店員の操作に応じて商品登録処理を行ったＰＯＳレジスタから、他の第２会計モードまたは際３会計モードのＰＯＳレジスタに精算指示情報を送信して客の操作に応じた精算処理を実行させることが可能である。
このようなＰＯＳシステムの場合には、ＰＯＳレジスタのそれぞれに精算装置指定キーを設けるようにする。そのうえで、第１会計モードまたは第２会計モードとされて店員が商品登録の操作を行うようにされたＰＯＳレジスタの店員用表示部において、精算指示情報を送信可能な他のＰＯＳレジスタに対応する精算装置指定ボタンを表示させるようにして、本実施形態の構成を適用すればよい。
【００９７】
［第３変形例］
なお、メカキー限定モードとマルチモードとのいずれが設定されているかにかかわらず、精算装置指定ボタンＢＴ１に対する操作に応じて以下のような動作が実行されるようにしてもよい。つまり、精算装置指定ボタンＢＴ１が、小計キー操作の前に操作された場合には、詳細情報ウィンドウＷＤを表示し、小計キー操作の後に操作された場合には、有効な精算装置指定操作として受け付けられて登録装置２０が精算指示情報を送信するようにされてよい。
【００９８】
［第４変形例］
なお、前述のソフトウェアキー限定モードが設定可能である場合においては、精算装置指定キー２６１が操作されたことに応じて、詳細情報ウィンドウＷＤが表示されるようにしてもよい。
【００９９】
［第５変形例］
なお、メカキーである精算装置指定キー２６１ごとに例えばＬＥＤ等による発光部を設け、精算装置指定キー２６１に対する操作が有効とされる精算装置指定モードでは発光部が発光するようにされてよい。これにより、店員は、現在の精算装置指定モードでは精算装置指定キー２６１に対する操作が有効であることを的確に把握できる。また、発光部の発光が案内、目印となるので、精算装置指定操作のために精算装置指定キー２６１を操作する際に他のキーを押し間違えてしまうことの防止が図られる。
【０１００】
［第６変形例］
なお、例えば１つの登録装置２０に対応させて、店員ごとに、精算装置指定ボタンＢＴ１の操作回数と、精算装置指定キー２６１の操作回数とを集計し、集計結果に基づく統計を算出するようにされてよい。操作回数の集計と統計の算出とについては、例えば登録装置２０のそれぞれが行ってもよいし、例えば管理装置１０等の上位装置が行ってもよい。
そのうえで、統計結果に基づいて、店員ごとに対応させて、精算装置指定操作にあたっての精算装置指定ボタンＢＴ１のほうの操作、もしくは精算装置指定キー２６１のほうの操作を促す案内が登録装置２０にて行われるようにされてよい。
例えば、登録装置２０または管理装置１０は、登録装置２０を操作する店員ごとの精算装置指定ボタンＢＴ１の操作頻度と精算装置指定キー２６１の操作頻度とを求める。この場合には、例えば店員ごとに、精算装置指定ボタンＢＴ１の操作回数と、精算装置指定キー２６１の操作回数とを比率により求めるようにされてもよい。このように求められた情報は、操作頻度情報として登録装置２０または管理装置１０等にて記憶されてよい。
店員は登録装置２０の操作を開始する際に、自分の店員識別子を入力してログインする。登録装置２０は、ログインに際して入力された店員識別子が示す店員の操作頻度情報を参照する。登録装置２０は、操作頻度情報を参照した結果、精算装置指定ボタンＢＴ１の操作頻度が高い場合には、精算装置指定キー２６１のほうの操作を促す案内の表示を店員用表示部２０５において行う。一方、登録装置２０は、操作頻度情報を参照した結果、精算装置指定キー２６１の操作頻度が高い場合には、精算装置指定ボタンＢＴ１のほうの操作を促す案内の表示を店員用表示部２０５において行う。
このようにすれば、店員が精算装置指定ボタンＢＴ１と精算装置指定キー２６１とをバランスよく使用するように気を付けることができるため、例えばタッチパネルにおいて精算装置指定ボタンＢＴ１が表示される部位と、精算装置指定キー２６１の劣化とを緩和できる。
【０１０１】
［第７変形例］
なお、上記実施形態において、複数の精算装置３０のうちから精算処理を実行させる精算装置３０を指定する態様としては、精算処理を実行させる精算装置３０を、店員が登録装置２０にて指定する態様（第１の指定態様）と、客に手渡しされるお会計券を登録装置２０から発行させ、店員から手渡しされたお会計券を、客が１つの精算装置３０に読み取らせる態様（第２の指定態様）とを挙げている。しかながら、精算装置３０を指定する態様としては、上記の態様に限定されない。例えば、以下の第３の指定態様から第７の指定態様のように精算装置３０が指定されてもよい。
【０１０２】
第３の指定態様として、商品登録の完了に応じて店員用表示部２０５に表示された精算装置指定ボタンに対して行われた操作に応じて（あるいは商品登録の完了を宣言するような操作であってもよい）、登録装置２０が、例えば精算装置３０に状態の問合せを行って精算処理が可能な（例えば、障害が発生しておらず、使用中でもない）精算装置３０を認識し、使用中でない精算装置３０のうちから所定の規則に従って、１つの精算装置３０を決定する。そして、登録装置２０は、決定した精算装置３０に精算情報を送信して精算処理の実行を指示する。
【０１０３】
第４の指定態様として、予め精算装置３０について精算処理の優先順位を設定しておくようにする。そのうえで、商品登録の完了に応じて、店員用表示部２０５に精算装置３０への精算情報の送信を指示する送信ボタンの操作が有効となるように表示する。送信ボタンが操作されたことに応じて、登録装置２０は、設定された優先順位に従った順で精算装置３０の精算処理が可能であるか否かを確認し、精算処理が可能であることが確認されなければ、優先順位が次の精算装置３０について確認するようにする。そのうえで、登録装置２０は、最初に精算処理が可能であることが確認された精算装置３０に精算情報を送信して精算処理の実行を指示する。
【０１０４】
なお、上記の第３の指定態様における所定規則に従った精算装置３０、あるいは第４の指定態様における精算装置３０の優先順位としては、例えば、精算装置３０に割り当てられた番号に基づいて決定されてよい。あるいは、登録装置２０から精算装置３０までの距離に基づいて決定されてよい。あるいは、合計金額に基づいて予測される釣銭の金種の内訳と精算装置３０の釣銭機に収納されている貨幣の金種ごとの枚数との関係に基づいて決定されてよい。
【０１０５】
第５の指定態様として、登録装置２０は、全ての精算装置３０に精算情報を送信する。精算情報を受信した精算装置３０は、自己が受信した精算情報に含まれる精算情報を利用して精算処理を実行可能な状態となると、自己が精算処理を実行することを通知する精算処理実行通知を精算情報の送信元の登録装置２０に送信する。
登録装置２０は、精算処理実行通知の受信に応じて、精算処理実行通知の送信先の精算装置３０を示す表示（精算処理実行表示）を行う。店員は、精算処理実行表示をみて、精算処理を実行する精算装置３０がいずれであるのかを客に伝えればよい。
この際、精算処理実行表示とともに、精算処理実行通知を送信した精算装置３０のサインポール３１１を所定のパターンで点灯させたり、精算装置３０から所定の報知音を出力させたりすることで、自己が精算処理を実行することを報知するようにしてよい。
【０１０６】
上記の第３〜第５の指定態様による精算装置３０の指定によれば、精算処理を実行させるべき精算装置３０をいずれとするのかを判断しなくともよい。
【０１０７】
第６の指定態様として、登録装置２０にて商品登録を終えた商品が容れられた買い物カゴを、店員が、精算装置３０ごとに対応して設置されたカゴ置き場のうちのいずれかに買い物カゴを移動させる。
カゴ置き場には、載置された買い物カゴを検出するセンサ（重量センサ、あるいは光センサ等）が備えられる。センサによりカゴ置き場買い物カゴが載置されたことが判定されると、対応の精算装置３０が要求を行って、登録装置２０から対応の精算情報を取得し、精算処理を実行するようにされる。
この場合にも、精算処理を実行することとなった精算装置３０が、サインポール３１１の点灯や報知音の出力などにより、自己が精算処理を実行することを報知するようにしてよい。
なお、載置された買い物カゴを検出するセンサに代えて、例えば店員に対応して人感センサや撮像装置を設けてよい。そして、登録装置２０は、人感センサの検出出力や撮像装置により撮像して得られた画像等に基づいて、店員の動きを判断し、判断された結果に基づいて、店員が精算装置３０ごとに対応して設置されたカゴ置き場のうちのいずれに買い物カゴを設置したのかを判定する。そして、判定されたカゴ置き場に対応する精算装置３０を、精算処理を実行すべき精算装置３０として決定するようにしてよい。
【０１０８】
第７の指定態様として、登録装置２０は、精算情報と、複数の精算装置３０間での転送順を設定した転送順情報とを含む精算指示情報を、或る１つの精算装置３０に送信する。転送順情報は、精算装置３０間で循環的に転送順を指定するものであってよい。
精算指示情報を受信した精算装置３０は、自己が精算処理を実行可能であれば、精算指示情報の送信元の登録装置２０に対して、精算処理実行通知を送信し、受信された精算指示情報に含まれる精算情報を利用して精算処理を実行する。
一方、精算指示情報を受信した精算装置３０は、自己が精算処理を実行不可である場合、受信された精算指示情報に含まれる転送順情報に従って、転送順が次の精算装置３０に対して、受信された精算指示情報を転送する。このようにして、精算装置３０間で精算指示情報が順次転送されるようにすることによっても、精算処理を実行させるべき精算装置３０の指定に相当する手順が実現される。
【０１０９】
上記の各指定態様において、精算処理を実行させる精算装置３０の決定に関する処理は、例えば管理装置１０などのように、登録装置２０及び精算装置３０以外の所定の装置が、登録装置２０による商品登録処理の終了に応じて実行するようにされてよい。登録装置２０及び精算装置３０以外の所定の装置としては、例えば精算装置３０の状態をモニタリングするために設けられた装置等であってもよい。
【０１１０】
なお、上述の管理装置１０、登録装置２０、精算装置３０などとしての機能を実現するためのプログラムをコンピュータ読み取り可能な記録媒体に記録して、この記録媒体に記録されたプログラムをコンピュータシステムに読み込ませ、実行することにより上述の管理装置１０、登録装置２０、精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１１１】
＜実施形態の総括＞
（１）以上説明したように、本実施形態の一態様は、客の購入対象の商品を登録する商品登録処理を実行する登録装置（２０）と、前記商品登録処理に応じた商品登録情報に基づいて客の操作に応じて精算処理を実行する複数の精算装置（３０）とを有する商品販売データ処理システムにおける登録装置であって、精算処理を実行する精算装置を指定する操作が行われる物理的操作子（例えば、精算装置指定キー２６１）と、前記複数の精算装置ごとに対応して表示部の画面にて表示される複数の精算装置対応領域例えば、精算装置指定ボタンＢＴ１）について、第１の機能と第２の機能とで切替える制御手段とを備える登録装置である。
【０１１２】
上記構成によれば、精算装置指定操作として、登録装置２０の店員用表示部２０５において精算装置３０ごとに対応する領域として表示される精算装置指定ボタンＢＴ１に対する操作と、物理的操作子である精算装置指定キー２６０１に対する操作との、２つの選択肢が得られる。これにより、幅広い店員（ユーザ）にとって精算装置２０に対する精算処理の指示が行いやすくなる。
そのうえで、例えば、精算装置指定ボタンＢＴ１については精算装置指定操を受け付ける機能を与えないようにする場合には、精算装置指定ボタンＢＴ１に精算装置指定操作の受け付け以外の機能を付与できる。これにより、幅広い店員（ユーザ）にとって精算装置２０に対する精算処理の指示が行いやすくなることに加え、画面における精算装置指定ボタンＢＴ１の有効利用が図られ、精算装置３０の使い勝手もよくすることが可能になる。
【０１１３】
（２）本実施形態の一態様は、（１）に記載の登録装置であって、前記制御手段は、前記物理的操作子（例えば、精算装置指定キー２６１）に対する操作に応じた精算装置の指定と、前記画面に対する操作に応じた精算装置の指定との双方が可能に設定される場合に、前記第１の機能として、前記複数の精算装置対応領域のそれぞれを、対応の精算装置の指定の操作が行われる画像操作子として機能させる。
【０１１４】
上記構成によれば、マルチモードが設定されるもとでは、登録装置２０にて表示される精算装置指定ボタンＢＴ１について、メカキーである精算装置指定キー２６１とともに、精算装置指定操作が行われる操作子として機能させることができる。
【０１１５】
（３）本実施形態の一態様は、（１）または（２）に記載の登録装置であって、前記制御手段は、前記物理的操作子に対する操作に応じた精算装置の指定が可能で、前記画面に対する操作に応じた精算装置の指定が不可に設定される場合に、前記第２の機能として前記複数の精算装置対応領域のそれぞれを、対応の精算装置に関する情報を提示するように機能させる。
【０１１６】
上記構成によれば、メカキー限定モードとされて、精算装置指定ボタンＢＴ１に対する操作が精算装置指定操作として機能しないようにされた設定の場合には、精算装置指定ボタンＢＴ１を、対応の精算装置３０の情報の提示に対応する領域として機能させることができる。
【０１１７】
（４）本実施形態の一態様は、（３）に記載の登録装置であって、前記制御手段は、１の精算装置対応領域が操作されたことに応じて、操作された精算装置対応領域に対応する精算装置に関する情報を前記画面において表示させる。
【０１１８】
上記構成によれば、精算装置指定ボタンＢＴ１が操作されたことに応じて、対応の精算装置３０の情報を、例えば詳細情報ウィンドウＷＤのような態様で表示させることが可能になる。
【０１１９】
（５）本実施形態の一態様は、（３）または（４）に記載の登録装置であって、前記制御手段は、操作された複数の精算装置対応領域ごとに対応する複数の精算装置に関する情報を前記画面において表示させる。
【０１２０】
上記構成によれば、店員用表示部２０５の画面において、複数の精算装置３０ごとに関する情報を表示できる。
【０１２１】
（６）本実施形態の一態様は、（５）に記載の登録装置であって、前記制御手段は、前記複数の精算装置に関する情報を同じ表示範囲に表示させる。
【０１２２】
上記構成によれば、複数の精算装置３０に関連する情報を、例えば１つの詳細情報ウィンドウＷＤに表示させることができる。これにより、複数の精算装置３０に関連する情報の一覧性が高まる。
【０１２３】
（７）本実施形態の一態様は、（６）に記載の登録装置であって、前記制御手段は、前記表示範囲において、前記複数の精算装置に関する情報を、情報項目ごとに振り分けるようにした態様で表示させる。
【０１２４】
上記構成によれば、複数の精算装置３０に関連する情報が、情報項目ごとに振り分けられることになるので、店員は、情報項目ごとに対応する状態に注目して、複数の精算装置３０ごとの状態を把握しやすくなる。
【０１２５】
（８）本実施形態の一態様は、（１）から（７）のいずれか１つに記載の登録装置であって、前記制御手段は、前記精算装置の指定の態様としていずれの態様が設定されているのかが識別可能なように、前記精算装置対応領域の表示を変更する。
【０１２６】
上記構成によれば、店員は、精算装置指定ボタンＢＴ１の表示の態様を確認することで、現在においてマルチモードとメカキー限定モードとのいずれの態様が設定されているのかを的確に把握できる。
【０１２７】
（９）本実施形態の一態様は、（８）に記載の登録装置であって、前記制御手段は、前記精算装置の指定の態様として、前記画面に対する操作に応じた精算装置の指定が可能に設定される場合には、前記精算装置対応領域について、対応の精算装置を指定する操作が行われる画像操作子であることが識別される態様で表示し、前記精算装置の指定の態様として、前記画面に対する操作に応じた精算装置の指定が不可に設定される場合には、前記精算装置対応領域について、対応の精算装置に関する情報の提示に対応する領域であることが識別される態様で表示する。
【０１２８】
上記構成によれば、店員は、精算装置指定ボタンＢＴ１の表示の態様を確認することで、マルチモードにおいては、精算装置指定ボタンＢＴ１が精算装置指定操作のための操作子として機能することを直感的に把握でき、メカキー限定モードにおいては、精算装置指定ボタンＢＴ１が対応の精算装置３０に関連する情報の提示に応じた領域として機能していることを直感的に把握できる。
【０１２９】
（１０）本実施形態の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、精算処理を実行する精算装置を指定する操作が行われる物理的操作子を備える登録装置としてのコンピュータを、前記複数の精算装置ごとに対応して表示部の画面にて表示される複数の精算装置対応領域について、第１の機能と第２の機能とで切替える制御手段として機能させるためのプログラムである。
【符号の説明】
【０１３０】
１  ＰＯＳシステム、１０  管理装置、１１  ＬＡＮ、２０（２０−１、２０−２）  登録装置、３０（３０−１〜３０−３）  精算装置、２０１  ＣＰＵ、２０２  記憶部、２０３  ＲＡＭ、２０４  スキャナ部、２０５  店員用表示部、２０５ａ  客用表示部、２０６  操作部、２０７  通信部、２０８  ブザー、２０９  印刷部、２１０  カードリーダ、３０１  ＣＰＵ、３０２  記憶部、３０３  ＲＡＭ、３０４  スキャナ部、３０５  表示部、３０６  操作部、３０７  通信部、３０８  ブザー、３０９  印刷部、３１０  決済部、３１１  サインポール、３１２  人感知センサ、３１３  カードリーダ
【図１】
2020034992.tif 000003
【図２】
2020034992.tif 000004
【図３】
2020034992.tif 000005
【図４】
2020034992.tif 000006
【図５】
2020034992.tif 000007
【図６】
2020034992.tif 000008
【図７】
2020034992.tif 000009
【図８】
2020034992.tif 000010
【図９】
2020034992.tif 000011